(57)【要約】【課題】ユーザが所望とするコンテンツが集約されたカスタマイズドディスクを提供する。【解決手段】パッケージメディア提供システム１は、コンテンツ蓄積サーバ２と、受注を受け付けるＡｐｐサーバ３と、受注に基づいてコンテンツを編集しＤＶＤソフトを制作するオーサリングステーション４と、制作した完成コンテンツとしてのＤＶＤソフトをユーザに配送する処理を行うパッケージングマネージャ５と、ユーザ情報、受注情報等を管理するマネジメントホスト６と、ユーザがこのサービスを利用するフロントエンドであるクライアント端末７とからなり、ユーザは、好みの音楽や映像のタイトルを予め用意されたリストから選択しネットワークを介してコンテンツ提供業者に注文することができる。コンテンツ提供業者は、ユーザから注文されたコンテンツをＤＶＤに格納してパッケージメディアとしてユーザに提供する。【選択図】図１
2006260471.tif 000002
【特許請求の範囲】
【請求項１】
オーディオコンテンツ及び／又はビデオコンテンツを含むコンテンツが格納されたコンテンツ蓄積サーバと、
上記コンテンツを選択する入力が行われるクライアント端末と、
上記クライアント端末で行われるコンテンツの選択を受け付ける選択受付装置と、
上記選択内容に基づいて指定されたコンテンツを上記コンテンツ蓄積サーバから抽出し編集する編集装置と、
上記編集装置によって編集されたコンテンツを記録媒体に書き込んでパッケージメディアを制作するパッケージメディア制作装置と、
上記パッケージメディア制作装置によって制作されたパッケージメディアを上記ユーザに配送する処理を行う配送管理装置と、
顧客としてのユーザを識別するとともに該ユーザの情報及び選択内容を管理し上記ユーザからコンテンツの注文がされたときに上記選択内容に基づいてパッケージメディアを制作する処理を統括制御する統括制御装置と有する
ことを特徴とするパッケージメディア提供システム。
【請求項２】
上記統括制御装置は、登録したユーザに対して予めユーザ識別情報を発行するとともに登録されたユーザ識別情報及び該ユーザ識別情報に対応する選択内容を履歴として記憶することを特徴とする請求項１記載のパッケージメディア提供システム。
【請求項３】
上記記録媒体には記録媒体固有の媒体識別情報が予め記録されていることを特徴とする請求項１記載のパッケージメディア提供システム。
【請求項４】
上記媒体識別情報はバーコードであることを特徴とする請求項３記載のパッケージメディア提供システム。
【請求項５】
上記パッケージメディア制作装置は、ＣＰＲＭ（Content Protection for Recordable Media）方式、又はＣＰＰＭ（Content Protection for Prerecorded Media）方式により記録媒体に上記コンテンツを書き込むことを特徴とする請求項１記載のパッケージメディア提供システム。
【請求項６】
上記パッケージメディア制作装置は、上記クライアント端末を識別する端末キーと、複数の暗号キー情報の組合せでなるキーセットとから生成したメディアキーを用いてコンテンツを暗号化し記録媒体に記録することを特徴とする請求項５記載のパッケージメディア提供システム。
【請求項７】
上記端末キーは、上記登録されたユーザに発行されたユーザ識別情報であることを特徴とする請求項６記載のパッケージメディア提供システム。
【請求項８】
上記パッケージメディア制作装置は、上記メディアキーに加えてコンテンツ固有のコンテンツＩＤから作成された暗号キーを用いてコンテンツを暗号化し記録媒体に記録することを特徴とする請求項６記載のパッケージメディア提供システム。
【請求項９】
上記配送管理装置は、上記ユーザ識別情報及び選択内容と上記パッケージメディア制作装置において作成されたパッケージメディアとを照合し、上記ユーザにパッケージメディアを配送する処理を行うことを特徴とする請求項７記載のパッケージメディア提供システム。
【請求項１０】
上記編集装置は、上記コンテンツ蓄積サーバに格納された個々のコンテンツに対して販売に伴い発生するコンテンツ使用料を算出し、上記統括制御装置に通知することを特徴とする請求項１記載のパッケージメディア提供システム。
【請求項１１】
上記編集装置は、パッケージメディアのジャケット画像、レーベル面のサンプル画像を複数用意しており、上記ユーザによって選択された画像を上記パッケージメディア制作装置に通知するとともに上記統括制御装置に通知することを特徴とする請求項１記載のパッケージメディア提供システム。
【請求項１２】
上記記録媒体は、ＤＶＤ（Digital Versatile Disc）であることを特徴とする請求項１記載のパッケージメディア提供システム。
【請求項１３】
オーディオコンテンツ及び／又はビデオコンテンツを含むコンテンツが格納されたコンテンツ蓄積サーバに蓄積されたコンテンツから所定のコンテンツが選択されるコンテンツ選択工程と、
上記選択された内容に基づいて上記コンテンツ蓄積サーバから指定されたコンテンツを抽出し編集する編集工程と、
上記編集工程で編集されたコンテンツを記録媒体に書き込みパッケージメディアを制作するパッケージメディア制作工程と、
上記パッケージメディア制作工程で制作されたパッケージメディアを特定のユーザに配送する処理を行う配送管理工程と
を有することを特徴とするパッケージメディア提供方法。
【請求項１４】
ユーザを登録し、登録したユーザに対して予めユーザ識別情報を発行するとともに登録されたユーザ識別情報及び該ユーザ識別情報に対応する選択内容を履歴として記憶する管理工程を有することを特徴とする請求項１３記載のパッケージメディア提供方法。
【請求項１５】
上記記録媒体に記録媒体固有の媒体識別情報を記録する工程を有することを特徴とする請求項１３記載のパッケージメディア提供方法。
【請求項１６】
上記媒体識別情報はバーコードであることを特徴とする請求項１５記載のパッケージメディア提供方法。
【請求項１７】
上記コンテンツ選択工程は、クライアント端末によってコンテンツの選択を受け付けるＷｅｂページ上で上記コンテンツ蓄積サーバに蓄積されたコンテンツを選択する操作入力であることを特徴とする請求項１３記載のパッケージメディア提供方法。
【請求項１８】
上記パッケージメディア制作工程は、ＣＰＲＭ（Content Protection for Recordable Media）方式、又はＣＰＰＭ（Content Protection for Prerecorded Media）方式により上記コンテンツを記録媒体に書き込むことを特徴とする請求項１３記載のパッケージメディア提供方法。
【請求項１９】
上記パッケージメディア制作工程は、上記クライアント端末を識別する端末キーと、複数の暗号キー情報の組合せでなるキーセットとから生成したメディアキーを用いてコンテンツを暗号化することを特徴とする請求項１８記載のパッケージメディア提供方法。
【請求項２０】
上記端末キーは、上記登録されたユーザに発行されたユーザ識別情報であることを特徴とする請求項１９記載のパッケージメディア提供方法。
【請求項２１】
上記パッケージメディア制作工程は、上記メディアキーに加えてコンテンツ固有のコンテンツＩＤから作成された暗号キーを用いてコンテンツを暗号化することを特徴とする請求項１９記載のパッケージメディア提供方法。
【請求項２２】
上記配送管理工程は、上記ユーザ識別情報及び選択内容と上記パッケージメディア制作工程において作成されたパッケージメディアとを照合し、上記ユーザにパッケージメディアを配送する処理を行うことを特徴とする請求項２０記載のパッケージメディア提供方法。
【請求項２３】
上記編集工程は、上記コンテンツ蓄積サーバに格納された個々のコンテンツに対して販売に伴い発生するコンテンツ使用料を算出し、上記管理工程に通知することを特徴とする請求項１４記載のパッケージメディア提供方法。
【請求項２４】
上記編集工程は、予め用意されたパッケージメディアのジャケット画像、レーベル面のサンプル画像から、上記ユーザによって選択された画像を上記パッケージメディア制作工程に通知するとともに上記管理工程に通知することを特徴とする請求項１４記載のパッケージメディア提供方法。
【請求項２５】
上記記録媒体は、ＤＶＤ（Digital Versatile Disc）であることを特徴とする請求項１３記載のパッケージメディア提供方法。
【請求項２６】
ユーザを登録し、登録したユーザに対して予めユーザ識別情報を発行するとともに登録されたユーザ識別情報及び該ユーザ識別情報に対応するコンテンツの選択内容を履歴として記憶する受注管理手段と、
オーディオコンテンツ及び／又はビデオコンテンツを含むコンテンツが格納されたコンテンツ蓄積手段と、
クライアント端末からネットワークを介して選択されたコンテンツを上記コンテンツ蓄積手段から抽出し編集する編集手段と、
上記編集手段によって編集されたコンテンツを記録媒体に書き込んでパッケージメディアを制作するコンテンツ記録手段とを備え、
上記受注管理手段は、上記記録手段によってコンテンツが記録された記録媒体と上記ユーザ識別情報に対応する選択内容を照合することを特徴とするパッケージメディア制作装置。
【請求項２７】
上記記録媒体には記録媒体固有の媒体識別情報が予め記録されていることを特徴とする請求項２６記載のパッケージメディア制作装置。
【請求項２８】
上記媒体識別情報はバーコードであることを特徴とする請求項２７記載のパッケージメディア制作装置。
【請求項２９】
上記コンテンツ記録手段は、ＣＰＲＭ（Content Protection for Recordable Media）方式、又はＣＰＰＭ（Content Protection for Prerecorded Media）方式により記録媒体に上記コンテンツを書き込むことを特徴とする請求項２６記載のパッケージメディア制作装置。
【請求項３０】
上記コンテンツ記録手段は、上記クライアント端末を識別する端末キーと、複数の暗号キー情報の組合せでなるキーセットとから生成したメディアキーを用いてコンテンツを暗号化し記録媒体に記録することを特徴とする請求項２９記載のパッケージメディア制作装置。
【請求項３１】
上記端末キーは、上記登録されたユーザに発行されたユーザ識別情報であることを特徴とする請求項２９記載のパッケージメディア制作装置。
【請求項３２】
上記コンテンツ記録手段は、上記メディアキーに加えてコンテンツ固有のコンテンツＩＤから作成された暗号キーを用いてコンテンツを暗号化し記録媒体に記録することを特徴とする請求項３０記載のパッケージメディア制作装置。
【発明の詳細な説明】
【技術分野】
【０００１】
本発明は、利用者の趣向に合うコンテンツを集約しパッケージメディアとして利用者に提供するパッケージメディア提供システム、及び利用者の趣向に合うコンテンツを集約したパッケージメディアを提供する方法、また利用者の趣向に合うコンテンツを集約しパッケージメディアとして制作するパッケージメディア制作装置に関する。
【背景技術】
【０００２】
近年、ＣＤ（Compact Disc）、ＭＤ（Mini Disc（登録商標））、ＤＶＤ（Digital Versatile Disc）等の記録媒体は、オーディオデータ、ビデオデータのようなコンテンツデータを長時間、高画質、高音質で記録するために、更なる大容量化が要求されている。
【０００３】
現在では、映画、スポーツ、音楽ライブ等を含むビデオコンテンツは、ＤＶＤに書き込まれてＤＶＤソフトウェアとして生産販売されるのが主流になっている。ある程度の販売が見込めるコンテンツは、題目（タイトル）毎に大量に制作することができる。しかし、例えばスポーツの試合や、アーティストのプロモーションビデオ等は、複数コンテンツが集約された形で１タイトルを構成していることが多く、ユーザは、所望とする特定のビデオコンテンツ以外のコンテンツも含まれた最大公約数的な商品としてしか入手することができない。
【０００４】
例えば、音楽コンテンツでは、ユーザがＣＤ等の記録媒体からＭＤ（登録商標）等にダビングして個人の趣向にあったメディアを制作することが行われている。これと同様に、ビデオコンテンツの場合でも、販売されたＤＶＤ商品からユーザが個人的にコンテンツを編集してＤＶＤ−ＲＷ等にダビングするという方法で、所望とするコンテンツを纏めて個人の趣向に合ったメディアを作成する方法があげられる。しかし、現在普及している多くの商品としてのＤＶＤソフトウェアでは、ＤＶＤ−Ｖｉｄｅｏで規定されたコピーガード技術のために、これができないようになっている。
【０００５】
また仮に、ユーザがパソコン上でコンテンツを編集して記録媒体に記録できたとすれば、ユーザによってカスタマイズされたメディアが制作できるわけだが、作成されたメディアが第三者の手に渡って不正に利用される、或いは後述のようにインターネットを介して正規に配信されたコンテンツであっても著作権者の許諾を得ないで一般的なユーザが再生可能な状態で世間一般に不法に流出する危険性があった。
【０００６】
現在では、コンテンツがＤＶＤ等の物理メディアに記録されてＤＶＤソフトウェアとして販売される一方で、ウェブ上で販売され、オンラインで購入したユーザにストリーミング配信にて映像の視聴を提供するといったオンデマンドストリーミング映像サービスも普及しつつある。しかし、ネット配信であるがため、入手した映像（コンテンツ）の画質、音質等に限界があり物理メディアと比較すると遜色がある。また、ストリーミング配信された映像は、ネットワーク接続端末等の一時記憶領域に残らないようになっているため、物理メディア等に永久的に保存することができない。
【０００７】
個々のユーザの要望に応えてコンテンツを提供する技術としては、例えば、ユーザがダウンロードしたい音楽データを選択すると、この音楽データのＴＯＣ情報が先に配信され、ユーザがこのＴＯＣ情報を記録媒体に記録しＣＤショップやコンビニエンスストアにある所定の情報端末に接続すると、この音楽データがダウンロードできるという技術（特許文献１）が開示されている。
【０００８】
【特許文献１】特開平１１−３１２１７５号公報
【発明の開示】
【発明が解決しようとする課題】
【０００９】
ところが、顧客ニーズに応えたソフトを著作権利用許可された正規販売品として１枚から制作することは、タイトル構成等の仕様がそれぞれ違うため、制作する側は煩雑な作業を必要としコスト高になる。
【００１０】
そのため、実際には、顧客オリジナルのソフトウェアを制作販売することは、コンテンツ販売市場における商品性に欠けるだけでなく、受注管理、「著作権使用料」、「アーティスト印税」、いわゆる「シンクロ権（シンクロナイズド権）」等への対応も複雑になるため、ビジネスとして採算が合わないことが指摘されている。また、例えば、特許文献１に開示された技術では、配信時の著作権保護はできても、その後の著作権保護まではできない虞がある。
【００１１】
そこで本発明は、上述した従来の実情に鑑みてなされたものであり、ユーザが所望とするコンテンツが集約されたカスタマイズドディスクを提供することを可能にし、このパッケージメディアに対して著作権保護を適切に施してコンテンツの不正流出を防止できるパッケージメディアを制作するパッケージメディア提供システム及びその方法、並びに、ユーザが所望するコンテンツを集約したパッケージメディアを制作するパッケージメディア制作装置を提供することを目的とする。
【課題を解決するための手段】
【００１２】
上述した目的を達成するために、本発明に係るパッケージメディア提供システムは、オーディオコンテンツ及び／又はビデオコンテンツを含むコンテンツが格納されたコンテンツ蓄積サーバと、コンテンツを選択する入力が行われるクライアント端末と、このクライアント端末で行われるコンテンツの選択を受け付ける選択受付装置と、注文内容に基づいて指定されたコンテンツをコンテンツ蓄積サーバから抽出し編集する編集装置と、この編集装置によって編集されたコンテンツを記録媒体に書き込んでパッケージメディアを制作するパッケージメディア制作装置と、このパッケージメディア制作装置によって制作されたパッケージメディアをユーザに配送する処理を行う配送管理装置と、顧客としてのユーザを識別するとともに該ユーザの情報及び注文内容を管理しユーザからコンテンツの注文がされたときに注文内容に基づいてパッケージメディアを制作する処理を統括制御する統括制御装置と有することを特徴とする。
【００１３】
本発明に係るパッケージメディア提供システムでは、ユーザ識別情報によってシステム使用可能なユーザを管理し、またユーザに対応する注文内容の履歴等を管理している。また、編集装置がコンテンツ蓄積サーバに格納された個々のコンテンツに対して販売に伴い発生するコンテンツ使用料を算出し、統括制御装置に通知することにより、制作される個々のパッケージメディアに含まれるコンテンツに対して発生する著作権使用料等の課金を自動的に算出することができる。
【００１４】
また、編集装置は、パッケージメディアのジャケット画像、レーベル面のサンプル画像を複数用意しており、ユーザによって選択された画像をパッケージメディア制作装置に通知するとともに統括制御装置に通知することにより、ここで選択された画像データも顧客データとして注文内容の履歴などとともに管理する。
【００１５】
本発明に係るパッケージメディア提供システムにおいてパッケージメディア制作装置は、ＣＰＲＭ（Content Protection for Recordable Media）方式、又はＣＰＰＭ（Content Protection for Prerecorded Media）方式により記録媒体にコンテンツを書き込む。この場合、パッケージメディア制作装置は、クライアント端末を識別する端末キーと、複数の暗号キー情報の組合せでなるキーセットとから生成したメディアキーを用いてコンテンツを暗号化し記録媒体に記録する。端末キーは、登録されたユーザに発行されたユーザ識別情報とすることが好ましい。また、パッケージメディア制作装置は、メディアキーに加えてコンテンツ固有のコンテンツＩＤから作成された暗号キーを用いてコンテンツを暗号化し記録媒体に記録する。
【００１６】
また、上述した目的を達成するために、本発明に係るパッケージメディア提供方法は、オーディオコンテンツ及び／又はビデオコンテンツを含むコンテンツが格納されたコンテンツ蓄積サーバに蓄積されたコンテンツから所定のコンテンツが選択されるコンテンツ選択工程と、選択された内容に基づいてコンテンツ蓄積サーバから指定されたコンテンツを抽出し編集する編集工程と、編集工程で編集されたコンテンツを記録媒体に書き込みパッケージメディアを制作するパッケージメディア制作工程と、パッケージメディア制作工程で制作されたパッケージメディアを特定のユーザに配送する処理を行う配送管理工程とを有する。
【００１７】
また、このパッケージメディア提供方法は、ユーザを登録し、登録したユーザに対して予めユーザ識別情報を発行するとともに登録されたユーザ識別情報及び該ユーザ識別情報に対応する注文内容を履歴として記憶する管理工程を有する。本発明に係るパッケージメディア提供方法では、ユーザ識別情報によってシステム使用可能なユーザを管理し、またユーザに対応する注文内容の履歴等を管理することにより、制作される個々のパッケージメディアに含まれるコンテンツに対して発生する著作権使用料等の課金を自動的に算出することができる。また、記録媒体に記録媒体固有の媒体識別情報を記録する工程を有する。ここでの媒体識別情報としては、バーコードを用いることができる。
【００１８】
また、本発明に係るパッケージメディア提供方法は、コンテンツ蓄積サーバに格納された個々のコンテンツに対して販売に伴い発生するコンテンツ使用料を算出可能になっていてもよい。また、パッケージメディア提供方法では、パッケージメディアのジャケット画像、レーベル面の画像が複数用意されており、ユーザは、このなかから所望の画像を選択できるようになっていてもよい。この場合、ユーザがどの画像データを選択したかも顧客データとして注文内容の履歴などとともに管理することができる。
【００１９】
パッケージメディア制作工程は、ＣＰＲＭ（Content Protection for Recordable Media）方式、又はＣＰＰＭ（Content Protection for Prerecorded Media）方式によりコンテンツを記録媒体に書き込むようにする。この場合、パッケージメディア制作工程は、クライアント端末を識別する端末キーと、複数の暗号キー情報の組合せでなるキーセットとから生成したメディアキーを用いてコンテンツを暗号化する。特に、端末キーは、登録されたユーザに発行されたユーザ識別情報とする。そして、パッケージメディア制作工程では、メディアキーに加えてコンテンツ固有のコンテンツＩＤから作成された暗号キーを用いてコンテンツを暗号化することもできる。
【００２０】
更に、上述した目的を達成するために、本発明に係るパッケージメディア制作装置は、ユーザを登録し、登録したユーザに対して予めユーザ識別情報を発行するとともに登録されたユーザ識別情報及び該ユーザ識別情報に対応するコンテンツの選択内容を履歴として記憶する受注管理手段と、オーディオコンテンツ及び／又はビデオコンテンツを含むコンテンツが格納されたコンテンツ蓄積手段と、クライアント端末からネットワークを介して選択されたコンテンツを上記コンテンツ蓄積手段から抽出し編集する編集手段と、編集手段によって編集されたコンテンツを記録媒体に書き込んでパッケージメディアを制作するコンテンツ記録手段とを備え、受注管理手段は、記録手段によってコンテンツが記録された記録媒体とユーザ識別情報に対応する選択内容を照合することを特徴としている。
【００２１】
本発明に係るパッケージメディア制作装置では、ユーザ識別情報によってシステム使用可能なユーザを管理し、またユーザに対応する注文内容の履歴等を管理することにより、制作される個々のパッケージメディアに含まれるコンテンツに対して発生する著作権使用料等の課金を自動的に算出することができる。ここで、記録媒体には記録媒体固有の媒体識別情報を予め記録する。この媒体識別情報には、バーコードを用いることができる。
【００２２】
また、コンテンツ記録手段は、ＣＰＲＭ（Content Protection for Recordable Media）方式、又はＣＰＰＭ（Content Protection for Prerecorded Media）方式により記録媒体にコンテンツを書き込むようにする。この場合、コンテンツ記録手段は、クライアント端末を識別する端末キーと、複数の暗号キー情報の組合せでなるキーセットとから生成したメディアキーを用いてコンテンツを暗号化し記録媒体に記録する。特に、端末キーは、登録されたユーザに発行されたユーザ識別情報とする。また、更にコンテンツ記録手段は、メディアキーに加えてコンテンツ固有のコンテンツＩＤから作成された暗号キーを用いてコンテンツを暗号化し記録媒体に記録してもよい。
【発明の効果】
【００２３】
本発明によれば、ユーザが所望とするコンテンツが集約されたカスタマイズドディスクが制作でき、従来の一括大量生産によるパッケージメディアとは異な新たな市場を開拓できる。また、このパッケージメディアに対して著作権保護を適切に施してコンテンツの不正流出を防止できる。また、本発明によれば、サーバに格納されているコンテンツを、ネットワークを介してユーザが自由に選択できるようにしたことで、既に商品として流通しているコンテンツが再度商品としての価値をもって流通する機会ができる。また、ディスクラベル面に予めバーコード等により媒体固有の識別情報を付加することにより、ユーザからの依頼と制作された記録内容とを照合でき正確なパッケージメディアが提供できる。
【発明を実施するための最良の形態】
【００２４】
以下、本発明の具体例として示すパッケージメディア提供システムについて、図面を参照して詳細に説明する。本発明は、顧客（以下、ユーザという）の趣向に合う映像コンテンツ、音楽コンテンツを集約し、インターネット等を介したダウンロードサービス又はストリーム配信ではなく、コンテンツの著作権保護技術を適用して記録媒体に格納しパッケージメディアとして提供するシステムである。
【００２５】
本発明の具体例として示すパッケージメディア提供システムについて図１を用いて説明する。ここで説明する例は、ユーザが好みの音楽コンテンツ（オーディオコンテンツ）や映像コンテンツ（ビデオコンテンツ）を予め用意されたリストから選択し、インターネット等のネットワークを介してコンテンツ提供者に注文すると、コンテンツ提供者がユーザからの注文内容に基づいて、例えばＤＶＤ（Digital Versatile Disc）、ＣＤ（Compact Disc）等の記録媒体にユーザから選択されたコンテンツを格納してパッケージメディアを制作しユーザに提供するオンデマンドシステムの一例である。
【００２６】
本発明では、記録媒体には予め記録媒体固有の媒体識別情報が付加されており、記録媒体が個々に区別できる。記録媒体に媒体を特定する情報を記録する方法としては、例えば、リードイン領域、ＢＣＡ（Burst Cutting Area）領域等にデータとして記録する方法があげられる。このような方法は、既に一般的な技術になりつつあるが、本具体例では、記録媒体の記録面の読取領域外又はレーベル面の一部に可視的情報として記録する。具体例では、記録媒体としてＤＶＤが使用される。媒体識別情報としてのメディア識別コードは、バーコードによって読取領域外の記録面に印刷される。なお、メディア識別コードは、いわゆる２次元コードとして印刷されてもよいし、無線タグ等の半導体チップに書き込んで貼付してもよい。
【００２７】
また、本具体例では、注文（オーダ）にしたがって完成した映像又は音楽ソフトを「完成コンテンツ」と記し、完成コンテンツを制作するにあたって素材として使用することのできるコンテンツを素材コンテンツと記して、これらを区別する。特に断りなく単にコンテンツと表記されている場合には、静止画像データ、動画像データ、音楽データ等を含む通常の一般的な「情報内容」の意味として使用している。また、箱詰めされた状態の完成品を「ＤＶＤソフト」という。
【００２８】
本発明の具体例として示すパッケージメディア提供システム１は、素材としてのオーディオコンテンツ及びビデオコンテンツが格納されたコンテンツ蓄積サーバ２と、ユーザから注文を受け付けるウェブアプリケーションサーバ（以下、Ａｐｐサーバと記す。）３と、注文内容に基づいて素材コンテンツを編集及び／又は構成してパッケージメディアとしての完成コンテンツを制作するオーサリングステーション４と、オーダにしたがって完成されたＤＶＤソフトをユーザに配送する処理を行う梱包配送管理サーバ（以下、パッケージングマネージャと記す。）５と、顧客（ユーザ）情報、受注情報等を管理するとともに新規受注がされた場合にシステム全体を統括制御するマネジメントホスト６とを有するサービス提供のための構成と、ユーザがこのサービスを利用するフロントエンドとしてのクライアント端末７とからなる。ユーザはクライアント端末７を使って、いわゆるインターネット等のネットワーク網を介してＡｐｐサーバ３に接続することで所望のＤＶＤソフトを制作することができるこのサービスを利用できる。
【００２９】
パッケージメディア提供システム１は、ＤＶＤオンデマンドサービスを提供するためのコンテンツ蓄積サーバ２と、Ａｐｐサーバ３と、オーサリングステーション４と、パッケージングマネージャ５とからなり、マネジメントホスト６は、互いにプライベートネットワークで接続され、いわゆるファイアウォール等のセキュリティ対策が施されたルータ８を介してインターネット等のネットワーク網に接続されている。以下の説明では、コンテンツ蓄積サーバ２、Ａｐｐサーバ３、オーサリングステーション４、パッケージングマネージャ５、マネジメントホスト６が互いに独立したハードウェアとして機能する場合について説明している。
【００３０】
続いて、本発明の具体例として示すパッケージメディア提供システム１のハードウェア構成について説明する。
【００３１】
コンテンツ蓄積サーバ２は、図２に示すように、映画、過去の放送番組、ミュージックビデオクリップ、インタビュー映像、スポーツ等を含む素材としてのビデオコンテンツ、または音楽アルバム、曲等の素材としてのオーディオコンテンツを格納するストレージデバイスとしてのハードディスクドライブ２１と、データを記録フォーマットに合わせて変調するエンコーダ２２と、オーサリングステーション４からの指示にしたがってストレージデバイス内を検索しコンテンツデータを抽出する処理を実行させるプログラム等が格納されたＲＯＭ２３と、システムコントローラ２９の作業領域としてのＲＡＭ２４と、メモリコントローラ２５とを備えている。また、プライベートネットワークに接続するためのネットワークインターフェイス（以下、ネットワークＩ／Ｆと記す。）２６を備える。
【００３２】
また、コンテンツ蓄積サーバ２は、ハードディスクドライブ２１に格納するコンテンツデータを外部機器等から入力するための入力回路２７を備えている。ハードディスクドライブ２１に格納されるコンテンツのデータ形式は、種々の汎用形式であってよいが、記録媒体としてＤＶＤを使用するので、ＤＶＤ−Ｖｉｄｅｏ、ＤＶＤ−Ａｕｄｉｏ形式で格納しておくのがよい。この場合には、コンテンツ蓄積サーバ２は、入力したビデオ信号又はオーディオ信号を必要に応じて形式変換できるようにビデオオーディオ信号処理部２８を備えていてもよい。上述した各構成は、システムコントローラ２９によって統括制御されている。
【００３３】
ＤＶＤ−Ｖｉｄｅｏは、画像データがＭＰＥＧ（Moving Picture Experts Group）によって標準化されたＭＰＥＧ２形式で圧縮されており、オーディオデータがリアルＰＣＭ、ＭＰＥＧオーディオ、ＤＴＳ、ドルビーデジタル等の音声記録方式で圧縮されている。ＤＶＤ−Ａｕｄｉｏは、オーディオデータ単独で構成されている。
【００３４】
また、具体例として示すパッケージメディア提供システム１では、コンテンツ蓄積サーバ２は、コンテンツを蓄積するストレージデバイス以外にも、著作権使用料、アーティスト印税等のコンテンツ毎の課金情報、またシンクロ権に対する許諾等を各コンテンツに対応づけて格納している。コンテンツを制作するアーティスト、コンテンツを供給する配給会社等といった提供者は、コンテンツ素材を課金情報、その他コンテンツに関連する情報とともに、このコンテンツ蓄積サーバ２に登録するという簡単な手続だけで、自らのコンテンツを顧客であるユーザに配布できる状態にできる。なお、具体例では、マネジメントホスト６が著作権使用料、アーティスト印税、シンクロナイズド使用料等の課金に係わる処理を実行し、クライアント端末７に対して通知している。
【００３５】
更にまた、ハードディスクドライブ２１は、コンテンツデータのほかにパッケージメディアの筐体のジャケット或いはレーベル面に印刷する画像の素材に使用する画像データを格納している。コンテンツ蓄積サーバ２は、筐体又はレーベル印刷用の画像データを格納する専用のストレージデバイスを備えていてもよい。
【００３６】
Ａｐｐサーバ３は、ネットワーク網を介して接続されたクライアント端末７からの要求に応じてＨＴＭＬ等で作成された情報を提示するウェブアプリケーションサーバである。Ａｐｐサーバ３は、図３に示すように、各種Ｗｅｂページを構成するデータをＵＲＬ（Uniform Resource Locator）で記述されるアドレスにしたがって格納するストレージデバイスとしてのハードディスクドライブ３１と、ネットワークを介して接続されたクライアント端末７から指定されたＵＲＬに基づいて、要求されたＷｅｂページ或いはファイルを要求元のクライアント端末に提供する処理を実行させるプログラム等が格納されたＲＯＭ３２、この処理を実行するＣＰＵ３３、ＣＰＵの作業領域としてのＲＡＭ３４、ネットワークに接続するためのネットワークインターフェイス（以下、ネットワークＩ／Ｆと記す。）３５とを備え、これらが内部バス３６で接続されている。
【００３７】
Ａｐｐサーバ３は、映画、過去の放送番組、ミュージックビデオクリップ、インタビュー映像、スポーツ等を含むビデオコンテンツ、または音楽アルバム、曲等のオーディオコンテンツの選択、またその順序の指定、数量等を入力する登録フォームをクライアント端末７に提供する。登録フォームには、船便か航空便か、配達時間等の配送方法の指定欄、クレジットカード等の個人情報の入力欄、課金情報、その他配達に必要な情報等を記入する欄も設けられている。
【００３８】
Ａｐｐサーバ３は、この登録フォームを通じてＤＶＤにどのコンテンツを書き込むか等の注文をクライアント端末７から受け付けており、常にクライアント端末７からの要求を受けられるよう待機している。クライアント端末７からの要求を受け取ると、Ｗｅｂページのソースコードをクライアント端末７のＷｅｂブラウザに伝送する。Ｗｅｂページには、サービスを利用可能にする認証を行うためのログイン画面、又はこのサービスに新規登録するための登録画面、ユーザの情報を入力する入力欄、ユーザに提供可能になっているオーディオコンテンツ及びビデオコンテンツのタイトルリスト、注文するコンテンツを決定するボタン、ユーザが購入した履歴を照会するボタン、その他販売に必要となる付加情報を入力する欄等が用意されている。
【００３９】
オーサリングステーション４は、図４に示すように、主として、個々のコンテンツを編集しユーザ所望の構成に編成する処理を行うオーサリング部４１と、編集されたコンテンツデータをＤＶＤに記録しパッケージメディアとしてのＤＶＤソフトを制作するパッケージメディア制作装置として機能する制作部４２とからなる。オーサリングステーション４は、選択されたコンテンツを書き込むためのＤＶＤを準備してマネジメントホストにタスクが登録されていた場合に、タスクのスクリプトであるオーダスクリプトをマネジメントホスト６から入手する。オーサリングステーション４は、オーダスクリプトにしたがってソフトを構成する素材コンテンツデータ或いはジャケット画像又はレーベル面用の画像等をコンテンツ蓄積サーバ２から入手する。
【００４０】
オーサリング部４１の一構成例を図５に示す。オーサリング部４１は、コンテンツや関連するデータを入力するための構成として、プライベートネットワークに接続するためのネットワークＩ／Ｆ４１１と、ネットワークを介して送られた素材コンテンツ等を一時的に記憶する入力データバッファ４１２と、このバッファからのデータの読み出し及び書き込みを制御する入力バッファコントローラ４１３とを備える。また、オーサリング部４１は、入力したマネジメントホスト６から送られたスクリプトに基づいて編集及び／又は構成するオーサリング処理部４１４と、完成コンテンツのデータを一時的に記憶するコンテンツメモリ４１５とを備えている。これらの各構成は、オーサリング制御部４１６によって統括され管理されている。オーサリング処理部４１４は、コンテンツ蓄積サーバ２から抽出されたコンテンツを編集及び／又は構成するためのオーサリングプログラム等を格納しており、このプログラムを実行してコンテンツを編集及び／又は構成する。
【００４１】
オーサリング制御部４１６は、マネジメントホスト６から送られる注文内容を示したスクリプトにしたがって依頼された内容の完成コンテンツを作成する。本具体例では、課金処理は、マネジメントホスト６で実行される。本具体例では、上述したようにコンテンツ蓄積サーバ２がパッケージメディアのジャケット画像、レーベル面の画像を複数用意しているとしたが、オーサリング部４１がこの格納場所を有していてもよい。
【００４２】
制作部４２の一構成例を図６に示す。制作部４２は、完成されたコンテンツ等を入力して一時的に記憶するＲＡＭ４２１と、このＲＡＭ４２１へのデータの読み出し及び書き込みを制御するメモリコントローラ４２２と、入力したコンテンツデータを記録フォーマットに変調する信号処理回路４２３とを備える。また、制作部４２は、ＤＶＤに記録するための構成として、スピンドルモータ４２４、光学ヘッド４２５、スレッドモータ４２６、サーボ回路４２７、ＲＦアンプ４２８、アドレスデコーダ４２９を備え、これらがシステムコントローラ４２１０によって統括されて制御されている。
【００４３】
そして更に、制作部４２は、レーベル面にユーザによって指定されたレーベル画像を印刷するためのレーベル面プリンタ４２１１、またＤＶＤを識別するメディア識別コードを読み取るための読取手段として本具体例ではバーコードリーダ４２１２を備えている。
【００４４】
制作部４２において、メモリコントローラ４２２に制御されてＲＡＭ４２１に書き込まれたコンテンツデータは、所定のタイミングで読み出されて信号処理回路４２３に供給され、記録フォーマットに変調される。システムコントローラ４２１０は、ＤＶＤにコンテンツを記録する処理を行うとともに、完成したＤＶＤソフトに対して、ベリファイ処理を実行し、ベリファイ結果、書き込み完了時間、その他書き込み確認項目、記録媒体に予め印刷されたメディア識別コードを読み出してこれらをパッケージングマネージャ５に送る。
【００４５】
データを変調する際に、本具体例では、著作権保護のために、ＣＰＲＭ（Content Protection for Recordable Media）方式、又はＣＰＰＭ（Content Protection for Prerecorded Media）方式によりコンテンツを符号化している。ＣＰＰＭやＣＰＲＭは、ＤＶＤ−Ｖｉｄｅｏで採用されているＣＳＳ（Content Scramble System）を一層強固にしただけでなく、コンテンツの暗号化キーが漏洩した場合に漏洩した暗号化キーを無効にする機能を備えた強力な著作権保護技術である。記録媒体に記録された或いは記録媒体に記録するコンテンツは、全て暗号化されており、再生する際には機器側がもつ機器鍵（以下、デバイスキーと記す。）とメディア側に記録されているＭＫＢを使用して暗号符号化を復号するために必要となるメディアキーを生成する。このメディアキーによりコンテンツを暗号化する。本発明の具体例で利用している著作権保護技術は、後段で詳細に説明する。
【００４６】
信号処理回路４２３で変調されたコンテンツデータは、光学ヘッド４２５により記録媒体であるＤＶＤに書き込まれる。光学ヘッド４２５は、レーザ光を出力するためのレーザダイオード、対物レンズ等からなる光学系と、ディスク記録面からの反射光を検出するディテクタ等を備えている。光学ヘッド４２５によりディスクから検出された情報は、ＲＦアンプ４２８に供給される。ＲＦアンプ４２８は、光学ヘッド４２５におけるディテクタ検出結果を演算処理することにより、再生ＲＦ信号、トラッキングエラー信号、フォーカスエラー信号、ウォブル記録されている絶対位置情報、アドレス情報等が抽出される。このＲＦ信号は、信号処理回路４２３に供給される。また、ＲＦアンプ４２８からのトラッキングエラー信号は、サーボ回路４２７に供給される。アドレス情報は、アドレスデコーダ４２９に供給されてデコードされ絶対位置アドレスとして信号処理回路４２３に供給される。書き込みに関する全体動作は、システムコントローラ４２１０によって統括されている。
【００４７】
制作部４２は、マネジメントホスト６からのタスク要求で実行するメディアレディトリガデザインとする。こうすることでシステム全体の拡張性が高くなる。オーサリングステーション４は、スクリプトコントロールが可能なため、オーダされたスクリプトにしたがってＤＶＤソフトを完成させる処理を自動で実行可能である。
【００４８】
また、制作部４２におけるシステムコントローラ４２１０は、完成したＤＶＤソフトに対して、ベリファイ処理を実行し、ベリファイ結果、書き込み完了時間、その他書き込み確認項目、記録媒体に予め印刷されたメディア識別コードを読み出してこれらをパッケージングマネージャ５に送る。
【００４９】
ＣＰＲＭ（Content Protection for Recordable Media）は、記録媒体（記録可能な媒体）用に開発された著作権保護システムであり、ＣＰＰＭ（Content Protection for Prerecorded Media）は、再生専用媒体用に開発された著作権保護システムである。ＤＶＤに書き込まれたメディア識別コードとクライアント端末としての情報処理機器がもつ固有番号とを用いて、コンテンツデータそのものを暗号化する技術である。ＣＰＲＭ及びＣＰＰＭは、記録媒体に複数の鍵情報からなるＭＫＢ（Media Key Block）と呼ばれる鍵束（以下、キーセットと記す。）を記録しておき、このキーセットとクライアント端末がもつ固有情報を機器鍵（以下、デバイスキーと記す。）として、この両者を用いて高度な著作権保護（コピーコントロール）を実現したものである。
【００５０】
したがって、本具体例では、クライアント端末７のデバイスキーを知る必要があるために、このサービスを利用するユーザは、後述するマネジメントホスト６に登録されている必要がある。デバイスキーは、マネジメントホスト６に登録されたユーザに対して発行されるユーザ識別情報としてのユーザＩＤであってもよい。またユーザＩＤとしては、ユーザの電子メールアドレス等を用いることができる。
【００５１】
制作部４２における信号処理回路４２３では、クライアント端末７を識別する端末キー又はマネジメントホスト６が発行したユーザＩＤをデバイスキーとして、このデバイスキーと複数の暗号キー情報の組合せでなるキーセットとから生成したメディアキーを用いて完成コンテンツを暗号化する。そして更に、制作部４２は、メディアキーとコンテンツ固有につけられたコンテンツＩＤとから暗号化キーを作成し、この暗号化キーを用いてコンテンツを暗号化し記録媒体に記録する。
【００５２】
ＣＰＰＭは、「メディアキー」、コンテンツ単位で異なる「コンテンツＩＤ」、「ＣＣＩ（Copy Control Information）」という３つの情報から作成された暗号化キーを用いてコンテンツが暗号化されている。コンテンツＩＤは、リードイン領域に記録されており、複製できないようになっている。同様にメディアキーを生成するのに必要となるＭＫＢもまたリードイン領域に記録されており、複製・改竄ができないようになっている。更に、ＭＫＢは、ライセンス会社によって製造業者に配布されているだけでなく配布最大数が決められている。そのため、常に固定されたＭＫＢが使用されるのではなく、一定数配布されると更新されるようになっているために安全性が高い。
【００５３】
ＣＣＩは、Copy Control Informationという名称が示すように、複製に関する情報である。複製の可不可だけでなく、複製を認める場合も何度まで複製可能か等の情報である。ＣＣＩは、必ずコンテンツデータと一緒に記録することが決められている。それは、複製を行う場合も同様である。例えば、１度だけ複製可というコンテンツの複製を行ったメディアには、ＣＣＩが複製不可の情報に書き換えられる。これにより複製媒体もコンテンツもコピーコントロールできる。何世代まで複製を認めるかといった細かい制御が実現している。クライアント端末７に固有なデバイスキーは、ライセンス会社から機器製造業者に与えられたシリアル番号である。これは機器毎に必ず異なっており、同じ番号が使用されることがないようになっている。
【００５４】
このようにＣＰＰＭは、コンテンツを暗号化する暗号化キーは、ＭＫＢ、コンテンツＩＤ、ＣＣＩ、デバイスキーから構成されているため、コンテンツを再生する際には、再生する装置は、キーセットとデバイスキーを使用してメディアキーを生成し、その後、コンテンツＩＤとＣＣＩを使用して最終的にコンテンツの暗号化に使用された暗号化キーを生成するという手順で再生が行われる。そのため、ＭＫＢ、コンテンツＩＤ、ＣＣＩ、デバイスキーのうち１つでも不正確な情報があれば、コンテンツを復元できないことになる。
【００５５】
ＣＰＲＭは、リードイン領域にＭＫＢが記録され、ＢＣＡ（Burst Cutting Area）領域にメディア１枚毎に異なる固有情報である「メディアＩＤ」が記録されている。ＭＫＢ、メディアＩＤともに複製・改竄できないようになっている。本具体例では、ここでの「メディアＩＤ」は、メディア識別コードに相当しており、これはバーコードで可視的に印刷されている。ＣＰＲＭの場合、ＣＣＩは、コンテンツとともに暗号化されて記録されているが、暗号化されていないＣＣＩも一緒にクライアント端末７に配布されるようになっている。そして、両者が一致しないと不正とみなされるように設計されている。
【００５６】
したがって、例えば、悪意あるユーザが正規データを記録媒体に複製した複製データを利用しようとしたとき、仮に上述した最終的な暗号化キーを取得できたとしても複製された媒体の場合にはメディアＩＤとコンテンツＩＤとが一致せず、暗号化キーを復号して得られるＣＣＩとコンテンツとともに送られたＣＣＩとが一致しない。これにより不正とみなすことができ、再生禁止や警告表示等の措置をとることができるのである。
【００５７】
なお、著作権保護技術としては、記録媒体、クライアント端末（又はユーザ）等に固有のＩＤを割り当てて、これらＩＤ情報を使用する技術であれば、ＣＰＲＭ、ＣＰＰＭに限定されない。
【００５８】
上述したオーサリングステーション４は、マネジメントホスト６により制御されてＡｐｐサーバ３で受け付けた注文内容に基づいてオーディオコンテンツ又はビデオコンテンツを編集・構成してＤＶＤソフトを制作する処理を行っている。
【００５９】
オーサリングステーション４は、ＤＶＤにレコーディングが可能な状態になると、マネジメントホスト６に対して準備完了のステータスを出し、選択されたコンテンツ等の情報が記述されたタスクファイルの受取を待機する。タスクファイルを受け取ると、タスクスクリプトにしたがって該当するコンテンツをコンテンツ蓄積サーバ２から入手しＤＶＤソフトを自動的に制作する。ここでは、ＤＶＤメニューの作成、イメージファイルの生成、コンテンツデータ本体の書き込み、ベリファイプロセス等を実行する。オーダされたＤＶＤソフトの制作が完了すると、ベリファイ結果、書き込み完了時間、その他書き込み確認項目、メディア識別コード等を付加して、タスク終了レポートをマネジメントホスト６に返信する。
【００６０】
パッケージングマネージャ５は、図７に示すように、プライベートネットワークに接続するためのネットワークＩ／Ｆ５１と、ＤＶＤのメディア識別コードを読み取るバーコードリーダ５２と、ユーザＩＤ及び注文内容とオーサリングステーション４において作成されたパッケージメディアのメディア識別コードとを照合する処理を実行するメディア照合部５３と、このほか各種プログラム等が格納されたＲＯＭ５４と、このプログラムを実行するＣＰＵ５５と、ＣＰＵ５５の作業領域としてのＲＡＭ５６を備え、これらが内部バス５７で接続されている。
【００６１】
パッケージングマネージャ５は、図示しないが、ユーザによって選択された画像データを用いてＤＶＤソフトを封入するケースを作成する構成を備えている。また、メディア照合部５３は、バーコードリーダ５２で読み取られたメディア識別コードとマネジメントホスト６に記憶されたユーザＩＤと対応する受注履歴の注文内容とを比較することで、制作したＤＶＤと配送先とを照合し、ユーザＩＤに対応する正確な配送先を指定する。具体的には、例えば、照合された正しい配送先がラベル等に印刷されて発送用の梱包に貼付される等の方法があげられる。パッケージングマネージャ５は、一旦ユーザＩＤを発行された登録済みユーザの配信先を配送先データとして配送先データベース５８に格納できるようにしてもよい。また、パッケージングマネージャ５は、ＤＶＤソフトの制作にかかる一連のタスクが完了したとき、このメディア識別コードを完了レポートに付加してマネジメントホスト６に返信する。
【００６２】
なお、メディア照合部５３は、ＣＰＵ５５によって実行されるプログラムとして実現されていてもよい。
【００６３】
次に、マネジメントホスト６について図８を用いて説明する。マネジメントホスト６は、プライベートネットワークに接続するためのネットワークＩ／Ｆ６１と、ユーザの個人情報、過去にユーザが注文したコンテンツの注文履歴、その他の必要な情報等を蓄積できるユーザ情報データベース６２と、オーサリングステーション４に対してＤＶＤの制作を指示する処理、サービス利用に際してユーザに発生する課金処理等を実行する制御部６３と、制御部６３に各種処理を実行されるプログラム等が格納されたＲＯＭ６４と、制御部６３の作業領域としてのＲＡＭ６５とを備え、内部バス６６で互いに接続されている。パッケージメディア提供システム１では、オーサリングステーション４側からのタスク要求で実行するメディアレディトリガデザインにより設計されている。
【００６４】
ユーザ情報データベース６２は、ここではＨＤＤ（Hard Disk Drive）を使用するが、大容量になるデータを蓄積可能な記録媒体であれば、記録形式によらず適用可能である。また、制御部６３は、このＤＶＤ制作サービスを利用可能なユーザに対してユーザＩＤを発行して登録するユーザ登録処理機能部６３１と、ＤＶＤの制作を指示するスクリプト作成機能部６３２と、サービス利用に際してユーザに発生する課金処理を実行する課金処理機能部６３３とを有し、ＲＯＭ６４に格納されたプログラムにしたがって、これらの処理を実行している。
【００６５】
マネジメントホスト６は、ユーザ識別情報としてのユーザＩＤによってシステム使用可能なユーザを管理し、またユーザに対応する注文内容の履歴等を管理している。また、マネジメントホスト６は、コンテンツ蓄積サーバ２に格納されたコンテンツのうち、ユーザによって選択されたコンテンツの著作権使用料、アーティスト印税等を自動的に算出することができる。また、マネジメントホスト６は、コンテンツ蓄積サーバ２に格納されたパッケージメディアのジャケット用画像、レーベル面用のサンプル画像のうち、ユーザによって選択された画像をオーサリングステーション４から通知されると、パッケージングマネージャ５に通知するとともに、ユーザによって選択された画像データも顧客データとして注文内容の履歴などとともに管理する。
【００６６】
マネジメントホスト６は、Ａｐｐサーバ３にアクセスしてきたユーザが未だ登録されていない新規ユーザであった場合、ユーザ登録処理機能部６３１により登録処理を実行しユーザの情報をユーザ情報データベース６２に登録するとともに新規登録ユーザに対してユーザ認証情報としてユーザＩＤを発行する。ユーザＩＤとしては、ユーザの電子メールアドレス等を使用することもできる。
【００６７】
また、ユーザ登録処理機能部６３１は、既に登録されたユーザに対して、ＤＶＤにバーコードで印刷されたメディア識別コードとユーザＩＤとを対応づけて注文内容を履歴としてユーザ情報データベース６２に格納する。また、スクリプト作成部機能部６３２は、ユーザからＷｅｂページの登録フォームに必要な情報が入力されると登録フォームに入力された情報に基づいてオーダスクリプトを作成しオーサリングステーション４に送る。また、課金処理機能部６３３は、ユーザから注文のあったコンテンツの構成に応じて、本具体例では素材コンテンツに付加された課金情報から請求金額等を算出する処理を実行する。
【００６８】
上述したマネジメントホスト６は、制御部６３によって、Ｗｅｂページを介して指示された新規注文に基づいてオーサリングステーション４及びパッケージングマネージャ５に対してタスク、スクリプト、レーベル印刷用ファイル、パッケージ仕様ファイル等を生成するとともに注文内容を登録する。なお、ユーザＩＤは、利用登録時にマネジメントホスト６がユーザに発行してもよいし、マネジメントホスト６がクライアント端末７に固有な機器ＩＤを登録処理時にクライアント端末７から取得してもよい。
【００６９】
クライアント端末７は、ネットワーク接続可能な汎用のパーソナルコンピュータでよい。クライアント端末７は、図９に示すようにＣＰＵ７１を有し、ＣＰＵ７１からは内部バス７２が導出されている。内部バス７２にはブートプログラム等が格納されたＲＯＭ７３、ＣＰＵ７１のメインメモリ用のＲＡＭ７４、ストレージデバイスとしてハードディスクドライブ７５が接続されている。また、クライアント端末７は、ＣＲＴ又は液晶ディスプレイといった表示デバイス７６、キーボード、マウス等の入力デバイス７７を備えている。表示デバイス７６は、デバイスドライバ７８を介して内部バス７２に接続されている。
【００７０】
また、クライアント端末７は、インターネットに接続するためのネットワークＩ／Ｆ７９としてモデム（ＭＯＤＥＭ：Modulator-Demodulator）又はターミナルアダプタを備え、例えばダイヤルアップＰＰＰ（Point To Point Protocol）、ｘＤＳＬ（Digital Sub scriber Line access system）、光ファイバ等でネットワーク網と接続されている。
【００７１】
クライアント端末７は、ネットワーク網を介してＡｐｐサーバ３によって提供されるＷｅｂページからマネジメントホスト６に接続し、モデム又はターミナルアダプタによりマネジメントホスト６とデータの交換を行う。マネジメントホスト６から送られたデータは、表示デバイス７６に表示される。また、クライアント端末７は、ＤＶＤに対してデータを記録再生可能な記録再生部８０を備えている。
【００７２】
続いて、以上説明した各構成からなるパッケージメディア提供システム１において、ユーザが所望のコンテンツを集約したパッケージメディアを注文し、制作されたパッケージメディアを受け取るまでの流れについて図１０を用いて説明する。
【００７３】
パッケージメディア提供システム１において、一連のＤＶＤソフト制作処理は、メディアレディトリガ機能により実行される。メディアレディトリガ機能とは、マネジメントホスト６がオーサリングステーション４のオーサリング部４１と制作部４２をコントロールするのではなく、オーサリングステーション４が自らタスクを完結する機能である。オーサリングステーション４は、書込用ＤＶＤの準備が完了すると、マネジメントホスト６に対してタスクを要求する。オーサリングステーション４は、マネジメントホスト６にタスクが登録されていた場合、マネジメントホスト６からタスクのスクリプトであるオーダスクリプトを入手し、このスクリプトにしたがって自分でタスクを完結する。
【００７４】
ユーザは、ネットワークに接続されたクライアント端末７であるＰＣ等の電子機器のＷｅｂブラウザ機能を使用して、Ａｐｐサーバ３が提供するホームページにアクセスして予め発行されたユーザ認証情報等を入力する（ステップＳ１）。ここで、ユーザが未登録の新規ユーザであった場合には、マネジメントホスト６がこのユーザを登録してこのユーザに対して新たにユーザ認証情報としてのユーザＩＤを発行する。マネジメントホスト６によって認証されると（ステップＳ２）、Ａｐｐサーバ３によって、映画、過去の放送番組、ミュージックビデオクリップ、インタビュー映像、スポーツ等を含む素材ビデオコンテンツ、或いは音楽アルバム、曲等の素材オーディオコンテンツの選択、その順序の指定、数量等を入力する登録フォームがクライアント端末７に提供される（ステップＳ３）。このとき送られる登録フォームには、船便か航空便かといった配達方法を指定する欄、配達時間等の配送方法の指定欄、クレジットカード等の個人情報の入力欄、課金情報その他コンテンツを提供するために必要な情報を記入する欄等が設けられている。
【００７５】
ユーザによって登録フォームに必要な情報が入力されると（ステップＳ４）、マネジメントホスト６は、登録フォームに入力された情報に基づいてクライアント端末７に注文内容を受け取った旨の確認通知を発行する（ステップＳ５）。同時にマネジメントホスト６は、登録フォームに入力された内容からオーダスクリプトを作成し、ＸＭＬ形式でオーサリングステーション４に送る（ステップＳ７）。
【００７６】
このとき、登録フォームに基づいてマネジメントホスト６からオーサリングステーション４に送られる送信データの例を図１１に示す。図１１には、送信データの項目と、ＸＭＬタグ例と、ＸＭＬにおけるデータ型が示されている。送信データの項目としては、図１１に示すような、このパッケージメディア提供システム１であることを示すアプリケーションＩＤ、ユーザを識別するためのユーザＩＤ、注文毎につけられるオーダＩＤ、オーダ方法、オーダ受付時間、注文されたアルバムのアルバムＩＤ又はコンテンツＩＤ、コンテンツの価格、印刷面デザイン、発送方法を示す発送タイプ等があげられる。また、アプリケーションＩＤ等の付加情報を加えてもよい。これら各項目のデータがＸＭＬ形式でオーサリングステーション４に送信される。図１２には、Ａｐｐサーバ３からマネジメントホスト６に送られるデータのＸＭＬ文章を示す。
【００７７】
一方、オーサリングステーション４は、選択されたコンテンツを書き込むための記録媒体、ＤＶＤを準備してマネジメントホスト６にタスクを問い合わせる（ステップＳ６）。マネジメントホスト６がＤＶＤを制作するというタスクを登録していると、オーサリングステーション４は、そのタスクのスクリプトであるオーダスクリプトをマネジメントホスト６から入手する（ステップＳ７）。
【００７８】
オーサリングステーション４は、マネジメントホスト６から送られた図１２に示すオーダスクリプトにしたがって自動でコンテンツ蓄積サーバ２から選択された素材を入手し、メニューの作成、イメージファイルの生成、書き込み、ベリファイ等を実行する（ステップＳ８）。オーサリングステーション４は、選択されたコンテンツをＤＶＤに書き込む処理を完了すると、ベリファイ結果、書き込み完了時間、その他書き込み確認項目、記録媒体に予め印刷されたメディア識別コードを読み出してパッケージングマネージャ５に送る（ステップＳ９）。また、オーサリングステーション４は、Ａｐｐサーバ３の提供するＷｅｂページにおいて選択されたレーベル画像等をレーベル面の情報をマネジメントホスト６から受け取ってＤＶＤのレーベル面に印刷する（ステップＳ１０）。
【００７９】
オーサリングステーション４は、レーベル画像が印刷されたＤＶＤソフトをパッケージングマネージャ５に送る（ステップＳ１１）。パッケージングマネージャ５は、ユーザによって選択された画像データ又は予め用意された画像データをケースに印刷する（ステップＳ１２）。
【００８０】
パッケージングマネージャ５は、制作したＤＶＤをケースに格納してパッケージメディアを完成させる。このとき、パッケージングマネージャ５は、マネジメントホスト６に記憶されたユーザＩＤと対応する受注履歴の注文内容とを比較して、制作したＤＶＤと配送先とを照合し配送先を指定する（ステップＳ１３）。
【００８１】
パッケージングマネージャ５は、ＤＶＤソフトの制作にかかる一連のタスクが完了したとき、このバーコード或いは２次元コード等のメディア識別コードを完了レポートに付加してマネジメントホスト６に返信する（ステップＳ１４）。
【００８２】
マネジメントホスト６は、課金処理機能部６３３において注文に応じて課金し、ユーザに請求する処理を行うとともに記録媒体に付加されたメディア識別コードに対応して注文内容をユーザ毎に注文履歴として管理する（ステップＳ１５）。これにより、複数の装置或いはサーバによる複数工程を経て制作された書込後のディスク識別が簡単且つ正確にでき、誤配送等が生じることがない。マネジメントホスト６は、制作が終了し配送した旨の完了通知を更にクライアント端末７に対して送信する（ステップＳ１６）。
【００８３】
以上説明したように、本発明の具体例として示すパッケージメディア提供システム１によれば、大量生産された既製品のＤＶＤ商品に比べて、ＤＶＤを制作する際、ユーザの趣向を反映できる点において優れており、従来のオンデマンドストリーム配信サービス、又はオンデマンドダウンロードサービスに比べて、ユーザが取得したコンテンツの保存性及び画質音質に優れている。ユーザは、このパッケージメディア提供システム１を利用することにより、エンタテインメント、教育、スポーツ等あらゆるビデオコンテンツ及び／又はオーディオコンテンツを好みの構成で自由に鑑賞できる。また、本発明の一具体例として示したパッケージメディア提供システム１は、オーサリングステーション４側からのタスク要求で実行するメディアレディトリガデザインのため、システムのパーフォマンス拡張、縮小が簡単に行える利点がある。
【００８４】
本具体例では、マネジメントホスト６は、ユーザの注文履歴をユーザ情報データベース６２に格納している。これによりユーザからの注文に応えた後に、更に履歴情報を応用できる。履歴情報にユーザのＤＶＤソフト購買履歴が記録されているため、ユーザの希望にしたがって一旦作成したＤＶＤソフトに収められたコンテンツは、低価格或いは無料で再提供するもできる。例えば、パッケージメディア提供システム１で制作されたＤＶＤソフトが破損したとき、通常の使用下で何らかの要因によって再生不可能になった場合などにユーザが不具合ソフトを送り返せば、マネジメントホスト６は、返品されたソフトのメディアＩＤからユーザの注文履歴を辿って購入歴が確認できたときに、同一内容のソフトを再作成して、再作成にかかる費用＋サービスチャージ程度で安価に再度提供することができる。
【００８５】
パッケージメディア提供システム１は、ユーザの希望に応じて唯一のカスタマイズドディスクを提供することができ、従来の一括大量生産映像商品よりもユーザ要求を満足する商品を提供することができる。また、このパッケージメディア提供システム１は、個々のコンテンツに対して流通促進することができる。そして、パッケージメディア提供システム１は、コンテンツの著作権保護を適切に施したことによって、コンテンツがインターネット上に流出して不正に利用されたり、不正に複製されたりする等の問題を防止できる。また、このパッケージメディア提供システム１で制作されるＤＶＤソフトは、顧客であるユーザ各人の嗜好が反映されたオリジナル性が高い商品であることから、中古販売業者等によるＤＶＤソフトの買取が困難になり、正規コンテンツの流出を防止できる。
【００８６】
また、本発明は、ネットワークオーダ情報、データベース管理とオーサリング作業の自動化を実現しているだけでなく、メディアレディトリガ機能により、オーサリングステーション４は自らタスクを完了することができるため、ステーションの増設、移動等のシステム再セットアップが簡易化できる。
【００８７】
なお、本具体例として示すパッケージメディア提供システム１は、コンテンツ蓄積サーバ２、Ａｐｐサーバ３、オーサリングステーション４、パッケージングマネージャ５、マネジメントホスト６が互いに独立したハードウェアとして機能する場合について説明しているが、本発明は、上述した機能が１ハードウェアとして明確に分業化されているのではなく上述した複数の機能が分散された幾つかの装置とクライアント端末とがネットワークを介して接続されたシステム、或いは上述した機能がソフトウェアとして実現された１ハードウェアとクライアント端末とがネットワークを介して接続されたシステムであってもよい。
【００８８】
また、本発明は、オーディオコンテンツ或いはビデオコンテンツのオンデマンド配信を目的としたシステムであれば、特に上述した実施例に限定されない。例えば、上述したパッケージメディア提供システム１は、コンピュータネットワークを利用した企業対個人取引（Business to Consumer）、企業間取引（Business to Business）、企業対被雇用者取引（Business to Employee）、企業対政府機関取引（Business to Government）等の電子商取引に応用することができる。実施の形態で説明した本発明の具体例は、上記例のうち企業対個人取引に適用したものである。
【００８９】
例えば、企業間取引若しくは企業対政府機関取引に応用する場合、扱われるコンテンツは、商品説明用の映像資料等である。自社製品等に関する映像資料が社内ＬＡＮで接続されたコンテンツ蓄積サーバに格納されており、社員が社員番号等を使って社内に設けられた専用のＷｅｂサーバにアクセスして必要な資料を指定すれば、必要な資料を集約したソフトがパッケージメディアとして制作される。
【００９０】
また、企業対被雇用者取引に応用する場合、扱われるコンテンツは、社員教育用、語学研修用等のビデオコンテンツや語学研修用のオーディオコンテンツである。この場合も同様、雇用者は、社員番号等を使って社内に設けられた専用のＷｅｂサーバにアクセスして所望とする学習用コンテンツを指定すれば、必要なコンテンツを集約したパッケージメディアを受け取ることができる。
【図面の簡単な説明】
【００９１】
【図１】本発明の具体例として示すパッケージメディア提供システムの構成を説明する図である。
【図２】上記パッケージメディア提供システムにおけるコンテンツ蓄積サーバの一例を説明する構成図である。
【図３】上記パッケージメディア提供システムにおけるＡｐｐサーバの一例を説明する構成図である。
【図４】上記パッケージメディア提供システムにおけるオーサリングステーションの機能の概略を説明する機能構成図である。
【図５】上記オーサリングステーションにおけるオーサリング部を説明する構成図である。
【図６】上記オーサリングステーションにおける制作部を説明する構成図である。
【図７】上記パッケージメディア提供システムにおけるパッケージングマネージャを説明する構成図である。
【図８】上記パッケージメディア提供システムにおけるマネジメントホストを説明する構成図である。
【図９】上記パッケージメディア提供システムにおけるクライアント端末を説明する構成図である。
【図１０】本発明の具体例として示すパッケージメディア提供システムにおいてユーザが所望とするコンテンツを選択してＤＶＤソフトを受け取るまでの流れを説明する概略図である。
【図１１】上記パッケージメディア提供システムにおいて登録フォームに基づいてマネジメントホストからオーサリングステーションに送られる送信データの例を示す図である。
【図１２】上記マネジメントホストからオーサリングステーションに送られる送信データのＸＭＬ文章例を示す図である。
【符号の説明】
【００９２】
１    パッケージメディア提供システム、  ２    コンテンツ蓄積サーバ、
３    Ａｐｐサーバ、  ４    オーサリングステーション、
５    パッケージングマネージャ、  ６    マネジメントホスト、
７    クライアント端末、  ８    ルータ
【図１】
2006260471.tif 000003
【図２】
2006260471.tif 000004
【図３】
2006260471.tif 000005
【図４】
2006260471.tif 000006
【図５】
2006260471.tif 000007
【図６】
2006260471.tif 000008
【図７】
2006260471.tif 000009
【図８】
2006260471.tif 000010
【図９】
2006260471.tif 000011
【図１０】
2006260471.tif 000012
【図１１】
2006260471.tif 000013
【図１２】
2006260471.tif 000014